(57)【要約】【課題】  居住空間の有効利用および美観の向上を図ることに加え、リビングやキッチン等の各居住空間の機能に適した収納構造を設けることにより、利便性を格段に向上させた大型収納付き建物を提供すること。【解決手段】  大型収納室２３と各共用居住空間２０、２１とを区画する壁２２ｂ、２２ｃの一部に複数の出入り口を備えた大型収納付き建物Ｔであって、大型収納室２３と隣接配置された第１共用居住空間２１と、その第１共用居住空間２１と連続して配置され、大型収納室２３と隣接配置された第２共用居住空間２０と、複数の出入り口のうち、第１共用居住空間２１側に開放された一方の出入り口２３ｂと、第２共用居住空間２０側に開放された他方の出入り口２３ａとを備え、第２共用居住空間２０に延設して建物外部へと連絡したデッキスペース２４が配置された構造。【選択図】      図２     
2005042459.tif 000002
【特許請求の範囲】
【請求項１】
大型収納室と各共用居住空間とを区画する複数の壁の一部に出入り口を備えた大型収納付き建物であって、
前記大型収納室と区画された第１の壁を介して隣接配置された第１共用居住空間と、
その第１共用居住空間と連続して配置され、前記大型収納室と区画された第２の壁を介して隣接配置された第２共用居住空間と、
前記第１の壁に設けられ、前記第１共用居住空間側に開放された一方の出入り口と、
前記第２の壁に設けられ、前記第２共用居住空間側に開放された他方の出入り口とを備えたことを特徴とする大型収納付き建物。
【請求項２】
請求項１に記載の大型収納付き建物において、前記大型収納室、前記第１共用居住空間および前記第２共用居住空間は、建物の上階に配置されていることを特徴とする大型収納付き建物。
【請求項３】
請求項１または２に記載の大型収納付き建物において、前記第２共用居住空間に延設して建物外部へと連絡したデッキスペースが配置されていることを特徴とする大型収納付き建物。
【請求項４】
請求項３に記載の大型収納付き建物において、前記デッキスペースと前記第２共用居住空間と前記大型収納室とは一直線上に配置されていることを特徴とする大型収納付き建物。
【請求項５】
請求項１〜４の何れかに記載の大型収納付き建物において、前記第１共用居住空間はキッチンであって、前記第２共用居住空間はリビングダイニングであることを特徴とする大型収納付き建物。
【請求項６】
請求項５に記載の大型収納付き建物において、前記キッチンおよびリビングダイニングは、略Ｌ字状に連続して形成されると共に、前記建物の東南側に寄せて配置され、前記大型収納室は建物の西北側に寄せて配置されていることを特徴とする大型収納付き建物。
【請求項７】
請求項１〜６の何れかに記載の大型収納付き建物において、前記一方の出入り口および他方の出入り口には開閉可能な扉が設けられていることを特徴とする大型収納付き建物。
【請求項８】
請求項１〜７の何れかに記載の大型収納付き建物において、前記大型収納室の天井高が約１．４ｍ以下に設定されていることを特徴とする大型収納付き建物。
【請求項９】
請求項１〜８の何れかに記載の大型収納付き建物において、前記大型収納室の床に床下収納部を設けたことを特徴とする大型収納付き建物。
【発明の詳細な説明】
【技術分野】
【０００１】
本発明は、大型収納付き建物に関し、特に、大型収納室の出入り口を各居住空間に関連付けて複数設けた建物の技術に関する。
【背景技術】
【０００２】
従来、住宅等の建物内には生活用品および備品などを収納するための収納部が設けられている。この収納部は、床下や天井裏，屋根裏などを利用した形態が広く知られており、居住空間をより広く使用するために様々な工夫がなされてきた。また、近年においては家族構成や生活パターンの変化、および季節等に応じて収納室の利用形態が多用化していることなどから、より大きな収納空間を必要とするようになってきている。本出願人は上記の点を考慮し、建物内に収納室を備えた中間階を持つ建物を提案している（例えば、特許文献１参照。）。本発明は、上階と下階の間に中間階を設け、その中間階に大型の収納室を備えることで、建物内に可能な限り大きな収納空間を確保することができる。
【０００３】
【特許文献１】特開平９−５３３３３
【発明の開示】
【発明が解決しようとする課題】
【０００４】
一方、近年では都心部に多く見受けられる狭小敷地に建築された都市型住宅がある。この都市型住宅では、敷地面積の問題から住宅構造が限定されてしまうことが多く、例えば、間口が狭い略長方形状に形成された住宅等がある。このような住宅においても、リビングダイニングおよびキッチンは開放的に配置することが望まれている。しかしながら、リビングダイニングおよびキッチンを開放的に配置すると、１フロアをほぼ占有してしまう構造となる。このため、リビングダイニングおよびキッチンでの収納空間を確保することが困難となる問題が生じていた。また、収納空間の問題として、収納物を使用する場所と収納する場所が異なることである。例えば、上記、中間階を持つ建物の収納室は中間階に備えられているため、リビングやキッチンで使用する収納物を迅速に取り出せないことになる。しかし、全てのものをリビングやキッチンの近くに収納しておくと、スペースの問題や美的観点などから好ましくないことになる。さらに、通常、収納室の出入り口は１ヶ所であるため、収納室の奥側の収納物を取り出しにくいことや、閉鎖的になりやすく暗いことなども問題となっていた。
【０００５】
本発明は上記した点に鑑みなされたものであり、居住空間の有効利用および美観の向上を図ることに加え、リビングやキッチン等の各居住空間の機能に適した収納構造を設けることにより、利便性を格段に向上させた大型収納付き建物を提供することを課題とする。
【課題を解決するための手段】
【０００６】
本発明は、大型収納室と各共用居住空間とを区画する壁の一部に複数の出入り口を備えた大型収納付き建物であって、
大型収納室と隣接配置された第１共用居住空間と、
その第１共用居住空間と連続して配置され、大型収納室と隣接配置された第２共用居住空間と、
複数の出入り口のうち、第１共用居住空間側に開放された一方の出入り口と、
第２共用居住空間側に開放された他方の出入り口とを備えた構造とした。
【０００７】
このような本発明によれば、美観の向上を図ることに加え、リビングやキッチン等の各居住空間の機能に適した収納構造を設けることにより、利便性を格段に向上させることができる。すなわち、大型収納室には、第１共用居住空間側に開放された一方の出入り口と、第２共用居住空間側に開放された他方の出入り口とを備えている。したがって、建物の同一階に大型の収納空間を形成することで、第１共用居住空間または第２共用居住空間から大型収納室への収納を迅速に行なうことが可能となり、利便性が格段に向上する。また、大型収納室に複数の出入り口を設けることで、開放感を向上させている。これにより、一時的または長期的に不要な物を大型収納室に収納することで、各居住空間を整然とすることができるため、美観を向上させることが可能となる。
【０００８】
前記大型収納室、第１共用居住空間および第２共用居住空間は、建物の上階に配置されていることが望ましい。このように配置した場合、より開放的な空間を形成することができる。すなわち、建物の下階よりも上階の方が見通しや見晴らしが良いため、上階に大型収納室、第１共用居住空間および第２共用居住空間を配置することが好ましい。
【０００９】
前記第２共用居住空間に延設して建物外部へと連絡したデッキスペースが配置されていることが望ましい。このように配置した場合、敷地面積に制限のある建物においても、居住空間に開放感を与えることができる。
【００１０】
前記デッキスペースと第２共用居住空間と大型収納室とは一直線上に配置されていることが望ましい。このように配置した場合、開放感を向上させることができ、また、視線の通りも良好とすることができる。
【００１１】
前記第１共用居住空間はキッチンであって、第２共用居住空間はリビングダイニングであることが望ましい。このようにした場合、キッチンから大型収納室、また、リビングダイニングから大型収納室へと容易に収納を行なうことができ、キッチンおよびリビングダイニングの利便性を向上させることができる。
【００１２】
前記キッチンおよびリビングダイニングは、略Ｌ字状に連続して形成されると共に、建物の東南側に寄せて配置され、大型収納室は建物の西北側に寄せて配置されていることが望ましい。このように配置した場合、キッチンおよびリビングダイニングの採光性を確保することができる。また、大型収納室内に収納された収納物の保存性を向上させることができる。
【００１３】
前記一方の出入り口および他方の出入り口には開閉可能な扉が設けられていることが望ましい。このように形成した場合、必要に応じて各出入り口を開閉可能となる。出入り口を開放すれば、開放感を向上させると共に、大型収納室内を明るくすることができ、閉鎖すれば、大型収納室内を外部から目隠しすることができる。
【００１４】
前記大型収納室の天井高が約１．４ｍ以下に設定されていることが望ましい。このように設定した場合、大型収納室の床面積が延べ床面積に算入されないことになる。したがって、居住空間の有効利用を図ることができる。
【００１５】
前記大型収納室の床に床下収納部を設けたことが望ましい。このように形成した場合、収納スペースを増やすことができるため、利便性に優れた収納空間とすることができる。
【発明を実施するための最良の形態】
【００１６】
以下、本発明の好適な実施の形態について、図面を参照して説明する。図１は、本発明の実施形態に係わる大型収納付き建物の１階間取り図であり、図２は、大型収納付き建物の２階間取り図であり、図３は、大型収納室を示す拡大平面図である。
【００１７】
これらの図において、大型収納付き建物Ｔ（以下、住宅Ｔ）は、間口より奥行きの広い略長方形に形成された２階建て建物である。住宅Ｔは図１に示すように、１階の北側に玄関１０が配置され、その玄関１０の前方に２階へと連絡する第１階段１１が設けられている。玄関１０の西側には廊下１２を挟んで和室１３が配置され、その和室１３の北側にサニタリー１４およびバスルーム１５が隣接配置されている。また、和室１３の南側にはトイレ１６および居室１７が配置されている。この居室１７の東側には居室１８が隣接して配置され、居室１７および居室１８の南側に窓１７ａ,１８ａがそれぞれ設けられている。
【００１８】
第１階段１１を昇った２階南側には、図２に示すように、間口方向に長く形成されたリビングダイニング２０（第２共用居住空間）、（以下、リビング２０）が配置されている。リビング２０の北側には、キッチン２１（第１共用居住空間）が東側の壁２２ａに沿って連続して配置され、一体的に開放された空間として形成されている。このリビング２０およびキッチン２１の天井高は後述する２．５階の天井高まで設定された吹き抜け天井として形成されている。また、リビング２０の北側およびキッチン２１の西側に隣接して大型収納室２３が配置されている。
【００１９】
この大型収納室２３は、天井高が約１．４ｍに設定され、リビング２０とを区画する壁２２ｂ（第２の壁）に第１の出入り口２３ａ（他方の出入り口）を備え、キッチン２１とを区画する壁２２ｃ（第１の壁）に第２の出入り口２３ｂ（一方の出入り口）が備えられている。第１の出入り口２３ａおよび第２の出入り口２３ｂには、それぞれ開閉可能な引き戸２６ａ,２６ｂが設けられている。引き戸２６ａ,２６ｂは、開放時に図示しない戸袋内に収容することで各出入り口２３ａ,２３ｂを開放し、閉鎖時に各出入り口２３ａ,２３ｂを閉鎖することができる。
【００２０】
本態様によれば、第１の出入り口２３ａは、リビング２０側に開放されており、リビング２０側から大型収納室２３内へと出入りすることができる。同様に、第２の出入り口２３ｂは、キッチン２１側に開放されており、キッチン２１側から大型収納室２３内へと出入りすることができる構造となっている。上記、大型収納室２３は、図３に示すように、第１の出入り口２３ａ付近となるＡ部にリビング２０で比較的頻繁に使用する収納物、例えば、新聞や雑誌等が収納されている。また、第２の出入り口２３ｂ付近となるＢ部にキッチン２１で比較的頻繁に使用する収納物、例えば、調理用品や季節別の食器類が収納されている。さらに、大型収納室２３の奥側に位置するＣ部においては、来客用の寝具、アルバム、すだれ・こたつなどの季節別に交換するものなど、長期間ストックして普段はあまり使用しないものが収納されている。
【００２１】
つまり、リビング２０やキッチン２１等の機能の異なる空間に対応して大型収納室２３の出入り口を別々に設けているため、リビング２０またはキッチン２１から収納物を迅速に取り出すことができることで、非常に利便性に優れた収納構造として構成されている。また、上記のように、リビング２０やキッチン２１を連続して一体的に構成しても大きな収納空間を確保することが可能となる。また、大型収納室２３を上記構成とすることで、家具等の必要最低限の物のみを設置すれば良いため、リビング２０等の居住空間を有効利用することができる。これにより、居住空間を頓雑にすることがないため、美的観点という点でも好ましい。
【００２２】
さらに、大型収納室２３に第１の出入り口２３ａおよび第２の出入り口２３ｂが設けられているため、大型収納室２３内を明るく開放的に利用することができる。勿論、各出入り口２３ａ,２３ｂの引き戸２６ａ,２６ｂを閉鎖することで、大型収納室２３内を目隠しすることができる。上記、大型収納室２３の床の一部に床下収納部２３ｃが設けられている。この床下収納部２３ｃは、大型収納室２３の中央部付近に設けられ、長期保存が可能な食品（例えば、非常食）等が収納されている。また、また、大型収納室２３の天井高が約１．４ｍに設定されているため、延べ床面積に算入されない利点がある。
【００２３】
上記、リビング２０の南側には窓２０ａおよび西側には窓２０ｂが設けられ、リビング２０および窓２０ａに隣接してデッキスペース２４が配置されている。このデッキスペース２４は、リビング２０の間口と同様の大きさに形成され、建物外部と連絡した開放的な空間として形成されている。すなわち、図に示すように、リビング２０側に第２の出入り口２３ｂを備えた大型収納室２３とリビング２０とデッキスペース２４とが一直線上に連続して形成され、全体として一つの空間として構成されている。これにより、居住空間の有効利用を図ることができると共に、敷地面積に制限のある狭小住宅においても、閉疎感を感じることなく快適な居住空間を形成することができる。また、視線の通りも良好となる。
【００２４】
本実施形態では、リビング２０およびキッチン２１は、図２に示すように、略Ｌ字状に連続して形成されると共に、住宅Ｔの東南側に寄せて配置されている。また、大型収納室２３は住宅Ｔの西北側に寄せて配置されている。すなわち、リビング２０およびキッチン２１は、外部からの陽射しが多く取り込まれる位置に配置されている。また、大型収納室２３は、西北側に配置されているため、陽射しは比較的取り込まれにくい位置に配置されている。これにより、リビング２０およびキッチン２１においては、採光性に優れているため、明るく開放的な空間として利用可能となり、大型収納室２３においては、長期保存が可能な収納構造とすることができる。
【００２５】
キッチン２１に隣接配置され、住宅Ｔの２．５階へと連絡する第２の階段２５を昇ると、図４に示すように、トイレ３０が配置されている。そのトイレ３０の南側にはロフト３１が配置されている。このロフト３１は、２階の大型収納室２３の上方に位置し、その大型収納室２３の天井高を利用して設けられている。すなわち、大型収納室２３は、上述したように、天井高が約１．４ｍと他の居室（リビング２０等）の天井高よりも低く設定されている。このため、居住空間の有効利用を図ることができる。上記、ロフト３１には、東南西側にそれぞれ窓３１ａ,３１ｂ,３１ｃが設けられており、明るく開放的な空間として形成されている。
【００２６】
なお、ロフト３１の天井高は、住宅Ｔ全体の高さに応じて設定可能であるが、天井高を約１．４ｍに設定することも可能である。この場合、大型収納室２３と同様に延べ床面積に算入されないことになる。したがって、より効率的に空間を利用することができる。
また、本実施形態においては、リビング２０およびキッチン２１をそれぞれ東側、南側に配置しているが、これに限定されるものではない。リビング２０とキッチン２１を逆に配置することも可能である。しかしながら、利便性や居住性に配慮した場合、上記構成とすることが望ましい。
【００２７】
また、大型収納室２３においては、出入り口をそれぞれ２ヶ所としているが、３ヶ所またはそれ以上設けることもできる。本実施形態では狭小住宅を例として述べているため上記構成としているが、例えば、大型収納室２３の北側に居住空間が配置されている場合は、その居住空間側に出入り口を設けることも当然可能である。
【産業上の利用可能性】
【００２８】
本発明によれば、リビング２０やキッチン２１を連続して一体的に構成しても大きな収納空間を確保することができる。そして、大型収納室２３にリビング２０およびキッチン２１に対応した出入り口を設ける構成としたことで、リビング２０やキッチン２１等の各居住空間の機能に適した収納構造となっている。これにより、収納物を迅速に取り出すことができるため、利便性を格段に向上させることができる。また、リビング２０に隣接してデッキスペース２４を配置し、また、大型収納室２３の天井高を約１．４ｍに設定していることで、居住空間の有効利用を図ることができる。さらに、リビング２０およびキッチン２１の配置場所を東南側とし、大型収納室２３の配置場所を西北側とすることで、採光性や利便性を向上させている。
【図面の簡単な説明】
【００２９】
【図１】本発明の実施形態に係る住宅Ｔの１階の間取り図である。
【図２】本発明の実施形態に係る住宅Ｔの２階の間取り図である。
【図３】本発明の実施形態に係る大型収納室の拡大平面図である。
【図４】本発明の実施形態に係る住宅Ｔの２．５階の間取り図である。
【符号の説明】
【００３０】
１０    玄関
１１    第１階段
１２    廊下
１３    和室
１４    サニタリー
１５    バスルーム
１６、３０  トイレ
１７、１８  居室
１７ａ、１８ａ、２０ａ、２０ｂ、３１ａ、３１ｂ、３１ｃ  窓
２０    リビング
２１    キッチン
２２ａ、２２ｂ、２２ｃ  壁
２３    大型収納室
２３ａ  第２の出入り口
２３ｂ  第１の出入り口
２３ｃ  床下収納部
２４    デッキスペース
２５    第２階段
２６ａ、２６ｂ  引き戸
３１    ロフト
Ｔ      住宅
【図１】
2005042459.tif 000003
【図２】
2005042459.tif 000004
【図３】
2005042459.tif 000005
【図４】
2005042459.tif 000006